(57)【要約】      （修正有）【課題】被検者が上下運動する撮影装置に不用意に接触する危険がなくなるとともに、上下動する撮影装置に危険を感じて適切な撮影姿勢を保てなくなることも解消される。【解決手段】立位撮影スタンド１の上部にスクリーンユニット７を取り付け、通常の撮影の場合スクリーン７Ｃを収納筒７Ｂに収納した状態で使用し、長尺撮影の場合スクリーン７Ｃを収納筒７Ｂから引き出して、被検者と撮影装置２の間を遮断した状態で使用する。【選択図】図１
0003118190.tif 000002
【実用新案登録請求の範囲】
【請求項１】
Ｘ線受光部を内蔵した撮影装置を上下動可能に保持し、前記撮影装置に近接した位置に立位する被検者のＸ線撮影を行う立位Ｘ線撮影スタンドにおいて、前記撮影装置と前記被検者の間に挿設でき、上下動中の前記撮影装置を前記被検者の視界から遮蔽する遮蔽手段を設けたことを特徴とする立位Ｘ線撮影スタンド。
【請求項２】
遮蔽手段は、立位Ｘ線撮影スタンドに取り付けられた巻取り手段により巻取り可能な、低Ｘ線吸収率の素材により構成された幕であることを特徴とする請求項１記載の立位Ｘ線撮影スタンド。
【請求項３】
遮蔽手段は、立位Ｘ線撮影スタンドにより、前記立位Ｘ線撮影スタンドの垂直軸に平行な軸を中心に回転可能に保持される、低Ｘ線吸収率の素材により構成された衝立であることを特徴とする請求項１記載の立位Ｘ線撮影スタンド。
【考案の詳細な説明】
【技術分野】
【０００１】
本考案は医用Ｘ線撮影に用いられる立位撮影スタンドに関する。
【背景技術】
【０００２】
Ｘ線撮影を行うとき用いられる装置の一つに立位撮影スタンドがある（立位撮影スタンドの詳細については例えば特許文献１参照）。そして立位撮影スタンドを用いたＸ線撮影のうち、下肢や脊髄のような長大な箇所を撮影する技法の一つに長尺撮影がある。長尺撮影にはフィルムを複数枚連ねて並べた状態で装填した長尺フィルムカセッテを撮影装置にセットして広角Ｘ線撮影を行う方法と、通常のカセッテを用い撮影位置を変えて複数回のＸ線撮影を行い、撮影された画像をつなぎ合わせる方法とがあるが、フィルムの代わりに最近普及してきたフラットパネル型Ｘ線検出器（以下ＦＰＤと略す）を用いる撮影では画像処理により画像のつなぎ合わせを容易に行うことができるため後者の技法が一般的に用いられる（例えば特許文献２参照）。
【０００３】
以下図３および図４を用いて複数回のＸ線撮影により行われる長尺撮影について説明する。図３は撮影システムの一例を示すブロック図であり、図４はその構成ユニットの一つである立位撮影スタンド１の外観を示す図である。立位撮影スタンド１にはフィルム（図示しない）を内蔵したカセッテ（図示しない）またはＦＰＤ（図示しない）を装着した撮影装置２が上下動可能に保持されている。
【０００４】
フィルムを用いた長尺撮影は例えば次のような手順で行われる。
＜手順１＞術者（図示しない）がＸ線制御器６のＸ線制御パネル６Ａを操作して「長尺撮影」の術式を選択すると、Ｘ線制御部６Ｂから立位撮影スタンド１のスタンド制御部１Ａに「長尺撮影」を行うことを知らせる信号が送られる。
＜手順２＞術者は被検者３を立位撮影スタンド１の前の撮影位置に立たせた後、スタンドパネル部１Ｂを操作してフィルム上端がこれから行う長尺撮影の撮影範囲の上端に来るように撮影装置２を上下動させる。ここで立位撮影スタンド１はスタンドパネル部１Ｂから入力された信号を受け取ったスタンド制御部１Ａがスタンド駆動部１Ｃを制御して撮影装置２を上下動させるように構成されている。
＜手順３＞なお天井懸垂式のＸ線管保持装置４により撮影装置２と対向する位置に配置されたＸ線管装置５は、スタンド制御部１Ａから撮影装置２の高さに関する情報を受け取って保持装置駆動部４Ｂを制御する保持装置制御部４Ａにより、常にＸ線照射野の中心が撮影装置２のフィルムの中心と一致する高さに移動するように自動制御されている。
＜手順４＞術者が撮影装置２に未撮影のフィルムを内蔵したカセッテを装着した後、Ｘ線制御パネル６Ａを操作してＸ線照射を指示すると、Ｘ線制御部６Ｂからの信号により高電圧発生器１０がＸ線管装置５に高電圧を印加してＸ線撮影が行われる。その後スタンド制御部１Ａの制御により、撮影装置２が自動的に下降してフィルム上端が直前のＸ線撮影時のフィルム下端の位置まで移動して停止する。このときＸ線管装置５も撮影装置２に連動して下降する。
＜手順５＞術者が撮影装置２から撮影済みのカセッテを取り出す。
＜手順６＞以下術者は上記＜手順４＞、＜手順５＞を必要回数繰り返す。
【０００５】
なおフィルムの代わりにＦＰＤを用いて撮影を行う場合、Ｘ線撮影ごとに撮影された画像のデータがＦＰＤに接続されたケーブル（図示しない）を経由してコンピュータや記憶装置から成る画像処理装置（図示しない）に自動的に出力され記憶されるので、上記の手順のうち術者によるカセッテの装着あるいは交換作業は不要になる。
【特許文献１】特開２００５−２１２３３号公報
【特許文献２】特開２００４−２４２９２８号公報
【考案の開示】
【考案が解決しようとする課題】
【０００６】
通常のカセッテを用い撮影位置を変えて複数回のＸ線撮影を行う方式の長尺撮影の手順は例えば上記のようなものであるが、この方法の場合被検者の近傍で撮影装置が上下動を行うため、被検者が危険を感じ適切な撮影姿勢を保てないおそれがあり、最悪の場合上下動する撮影装置に接触する危険さえある。本考案はこの問題を解消することを目的とする。
【課題を解決するための手段】
【０００７】
請求項１記載の考案は上記の目的を達成するために、Ｘ線受光部を内蔵した撮影装置を上下動可能に保持し、前記撮影装置に近接した位置に立位する被検者のＸ線撮影を行う立位Ｘ線撮影スタンドにおいて、前記撮影装置と前記被検者の間に挿設でき、上下動中の前記撮影装置を前記被検者の視界から遮蔽する遮蔽手段を設けた立位Ｘ線撮影スタンドを提供する。
【０００８】
請求項２記載の考案は上記の目的を達成するために、遮蔽手段は、立位Ｘ線撮影スタンドに取り付けられた巻取り手段により巻取り可能な、低Ｘ線吸収率の素材により構成された幕である請求項１記載の立位Ｘ線撮影スタンドを提供する。
【０００９】
請求項３記載の考案は上記の目的を達成するために、遮蔽手段は、立位Ｘ線撮影スタンドにより、前記立位Ｘ線撮影スタンドの垂直軸に平行な軸を中心に回転可能に保持される、低Ｘ線吸収率の素材により構成された衝立である請求項１記載の立位Ｘ線撮影スタンドを提供する。
【考案の効果】
【００１０】
本考案により被検者と上下動する撮影装置の間に低Ｘ線吸収率の素材により製造された仕切り手段を設けることにより、被検者が上下動する撮影装置に不用意に接触する危険がなくなるとともに、上下動する撮影装置に危険を感じて適切な撮影姿勢を保てなくなるという問題も解消される。
【考案を実施するための最良の形態】
【００１１】
本考案のポイントは上述したように被検者と上下動する撮影装置の間に低Ｘ線吸収率の素材により製造された仕切り手段を設けた点である。以下図１および図２を用いて、それぞれ本考案の実施例１および実施例２の説明を行う。
【実施例１】
【００１２】
図１（ａ）は図４に示す従来の立位撮影スタンド１の上部に収納筒保持部７Ａ、収納筒７Ｂ、スクリーン７Ｃおよび取手７Ｄにより構成されるスクリーンユニット７を取り付けた図である。具体的には立位撮影スタンド１の上部側面に取り付けられた収納筒保持部７Ａに収納筒７Ｂが、撮影装置２の移動上限位置より上方に位置するように、取り付けられており、収納筒７Ｂ内の中心軸の位置にはスクリーン巻取軸（図示しない）が収納筒７Ｂの両端部で回転可能に保持されている。収納筒保持部７Ａには周知の巻取駆動部（図示しない）が内蔵されており、スクリーン巻取軸に一方の端を固持された、撮影装置２の横幅より広い幅のスクリーン７Ｃを、常にある程度の力で巻き取る方向にスクリーン巻取軸を回転させるよう駆動しているが、収納筒７Ｂの下部に設けられたスクリーン７Ｃの幅より長い溝７Ｆを通って収納筒７Ｂの外部に引き出されたスクリーン７Ｃの他方の端に取り付けられた取手７Ｄが上記溝７Ｆを通過できない厚さを有するため、スクリーン７Ｃは取手７Ｄが上記溝７Ｆに接した状態まで巻き上げられている。立位撮影スタンド１を用いて通常の撮影を行う場合、撮影装置２は撮影中上下動を行わないので、被検者（図１には図示しない）が撮影装置２に十分接近できる図１（ａ）の状態で使用される。
【００１３】
次に長尺撮影を行う場合について図１（ｂ）により説明する。術者（図示しない）は取手７Ｄを巻取駆動部の駆動力より強い力で引き下げ、スクリーン７Ｃを収納筒７Ｂから引き出し、取手７Ｄを床面に設けられた取手保持部７Ｅにより固定する。収納筒７Ｂは、このときスクリーン７Ｃが撮影装置２に接触しないでできるだけ撮影装置２の近傍に位置するように配置されている。この状態で、従来技術の項で述べた手順により長尺撮影が行われるが、被検者と撮影装置２の間にスクリーン７Ｃが存在するため、被検者が上下動する撮影装置２に不用意に接触する危険がなくなるとともに、上下動する撮影装置２が被検者の視界から遮蔽されるので、従来の場合のように上下動する撮影装置２に危険を感じて適切な撮影姿勢を保てなくなるという問題も解消される。なおスクリーン７Ｃは強度的に必要な厚さでＸ線撮影画像に影響が生じない程度にＸ線吸収率が低い、例えばポリエステル等により作成される。
【実施例２】
【００１４】
図２は図４に示す従来の立位撮影スタンド１の上部に取り付けられた衝立保持部８により、矩形の平板であるスクリーン９Ｂおよびこれを保持するスクリーン保持部９Ａから構成される衝立９を、立位撮影スタンド１の垂直軸と平行な軸部８Ａを中心にほぼ９０度回転可能に保持した図である。
【００１５】
このような立位スタンドを用いて通常の撮影を行う場合、撮影装置２は撮影中上下動を行わないので、被検者（図２には図示しない）が撮影装置２に十分接近できるように衝立９を図２の破線の状態に配置し、長尺撮影を行う場合衝立９を図２の実線の状態に配置する。これにより長尺撮影の場合被検者と撮影装置２の間に衝立９が存在するため、被検者が上下動する撮影装置２に不用意に接触する危険がなくなるとともに、上下動する撮影装置２が被検者の視界から遮蔽されるので、従来の場合のように上下動する撮影装置２に危険を感じて適切な撮影姿勢を保てなくなるという問題も解消される。なおスクリーン９Ｂは強度的に必要な厚さでＸ線撮影画像に影響がない程度にＸ線吸収率が低い、例えばポリエステル等により作成される。
【００１６】
上記実施例１のスクリーン７Ｃおよび実施例２のスクリーン９Ｂはいずれも、その全部が透明または不透明のいずれでもよく、一部だけが透明であってもよい。スクリーン７Ｃまたはスクリーン９Ｂの全部または一部が透明であることは、術者が撮影装置の停止位置を確認するため等に好都合である。
【産業上の利用可能性】
【００１７】
本考案は医用Ｘ線撮影に用いられる立位撮影スタンドに関する。
【図面の簡単な説明】
【００１８】
【図１】本考案の立位撮影スタンドを説明するための図である。
【図２】本考案の立位撮影スタンドを説明するための図である。
【図３】複数回のＸ線照射により長尺撮影を行うシステムの構成を示すブロック図である。
【図４】従来の立位撮影スタンドを説明するための図である。
【符号の説明】
【００１９】
１：立位撮影スタンド
１Ａ：スタンド制御部
１Ｂ：スタンドパネル部
１Ｃ：スタンド駆動部
２：撮影装置
３：被検者
４：Ｘ線管保持装置
４Ａ：保持装置制御部
４Ｂ：保持装置駆動部
５：Ｘ線管装置
６：Ｘ線制御器
６Ａ：Ｘ線制御パネル
６Ｂ：Ｘ線制御部
７：スクリーンユニット
７Ａ：収納筒保持部
７Ｂ：収納筒
７Ｃ：スクリーン
７Ｄ：取手
７Ｅ：取手保持部
７Ｆ：溝
８：衝立保持部
８Ａ：軸部
９：衝立
９Ａ：スクリーン保持部
９Ｂ：スクリーン
１０：高電圧発生器
【図１】
0003118190.tif 000003
【図２】
0003118190.tif 000004
【図３】
0003118190.tif 000005
【図４】
0003118190.tif 000006